(57)【要約】 【課題】単純でコストダウンが計れ、雨仕舞に効果的な棟換気装置及び構成部材を得る。【解決手段】頂部の棟瓦が固着された棟木と、底部に開口部下段をおいて左右に傾斜する野地板と、野地板上面に間隔をあけて下段より広い開口部上段をおいて左右に傾斜する棧瓦とを有する屋根に、イ）野地板頂部に固着され開口部上段に突出し棟木を飛び飛びに支持する棟支持部材と、ロ）断面が鉛直面と傾斜面とで鈍角に連結され、鉛直面上端末に外向き且つ傾斜面下端末に内向きに小はぜが突出されている水密保持部材と、ハ）断面が傾斜底面の下端末に短鉛直面が連結され且つ傾斜底面の上端末に長鉛直面が連結され、長短鉛直面の上端末に向合って小はぜが突出されている樋部材とを備え、ニ）水密保持部材の鉛直面が棟木側面長手に飛び飛びにパッキンを介して固着され、傾斜面の小はぜ近傍で棧瓦上面との間に圧縮状態の密封材が挿入され、ホ）樋部材が野地板頂部に固着され、短鉛直面は棧瓦下面に当接し、長鉛直面は開口部上段に突出している棟換気装置。【選択図】        図１
2008208618.tif 000002
【特許請求の範囲】
【請求項１】
頂部に断面略三角形状の棟瓦が固着された棟木と、底部に開口部下段をおいて左右に傾斜する野地板と、前記野地板上面に間隔をあけて前記下段より広い開口部上段をおいて左右に傾斜する棧瓦とを有する屋根に、イ）前記野地板頂部に固着され前記開口部上段に突出し前記棟木を飛び飛びに支持する棟支持部材と、ロ）断面が鉛直面と傾斜面とで鈍角に連結され、該鉛直面上端末に外向き且つ該傾斜面下端末に内向きに小はぜが突出されている水密保持部材と、ハ）断面が傾斜底面の下端末に短鉛直面が連結され且つ該傾斜底面の上端末に長鉛直面が連結され、該長短鉛直面の上端末に向合って小はぜが突出されている樋部材とを備え、ニ）前記水密保持部材の鉛直面が前記棟木側面長手に飛び飛びにパッキンを介して固着され、前記傾斜面の小はぜ近傍で前記棧瓦上面との間に圧縮状態の密封材が挿入され、ホ）前記樋部材が前記野地板頂部に固着され、前記短鉛直面は前記棧瓦下面に当接し、前記長鉛直面は前記開口部上段に突出していることを特徴とする棟換気装置。
【請求項２】
金属製薄板材よりなり、断面において鉛直面と傾斜面とが鈍角θで交差して連結され、前記鉛直面の上端末に外向きに折り曲げられた小はぜが突出され、前記傾斜面の下端末に内向きに折り曲げられた小はぜが突出されていることを特徴とする棟換気装置に用いる水密保持部材。
【請求項３】
鈍角θが１２０〜１５０度にとられていることを特徴とする請求項２に記載の水密保持部材。
【請求項４】
鉛直面の上端末の小はぜは略水平方向外向きに折り曲げられ、傾斜面の下端末の小はぜは略水平方向内向きに折り曲げられていることを特徴とする請求項２又は３に記載の水密保持部材。
【請求項５】
金属製薄板材としてガルバニウム鋼板を用いたことを特徴とする請求項２〜４のいずれかに記載の水密保持部材。
【請求項６】
金属製薄板材よりなり、断面において傾斜底面の一方下側端末に短鉛直面が交差して連結され且つ前記傾斜底面の他方上側端末に長鉛直面が交差して連結され、前記短鉛直面及び長鉛直面の上側端末にはそれぞれ向合って下方に折り曲げられた小はぜが突出されていることを特徴とする棟換気装置に用いる樋部材。
【請求項７】
金属製薄板材としてガルバニウム鋼板を用いたことを特徴とする請求項６に記載の樋部材。
【発明の詳細な説明】
【技術分野】
【０００１】
本発明は、施工しやすく雨仕舞に優れた棟換気装置及びこれに用いる構成部材に関するものである。
【背景技術】
【０００２】
従来、屋根の棟換気装置として漆喰構造のものがあったが、漆喰は寿命が短いので定期的にメンテナンスの必要があった。
これに対して、メンテナンスフリーの乾式構造のものが開発され、例えば下記特許文献１に記載の発明がある。この発明は棟木支持部材１と、棟木２と、換気部材３と、換気通路形成部材５と、該換気通路形成部材５と棟瓦９の裏面に設けた突条９０３で形成された瓦部換気通路１０等を主たる構成要素としている。棟木支持部材１、換気部材３、換気通路形成部材５、棟瓦９と突条９０３を金属製とし、部材点数を少なくして、コスト低廉化、施工簡略化を計っている。
【０００３】
【特許文献１】特開２００２−２４２３９８号公報
【発明の開示】
【発明が解決しようとする課題】
【０００４】
前記特許文献１に記載の発明では、構成部材である長尺の換気部材３及び換気通路形成部材５は断面形状が複雑なうえに多数の開口４及び７が設けられ、棟瓦９の裏面には多数の突条９０３が二重く字形（図９、１０参照）に形成されており、構造複雑でコストアップの要因が残っている。また雨仕舞対策として、単純な当部材６が記載されている他はみるべきものがない。
これに対し本発明では、構成部材に開口は設けられておらず、断面形状が単純でコストダウンが計れ、施工が容易で強度面からも有利であり、また雨仕舞に効果的な二段の対応策をとっている棟換気装置及びこれに用いる構成部材を得ることを目的としている。
【課題を解決するための手段】
【０００５】
この目的を達成するために、
請求項１の発明にあっては、頂部に断面略三角形状の棟瓦が固着された棟木と、底部に開口部下段をおいて左右に傾斜する野地板と、前記野地板上面に間隔をあけて前記下段より広い開口部上段をおいて左右に傾斜する棧瓦とを有する屋根に、イ）前記野地板頂部に固着され前記開口部上段に突出し前記棟木を飛び飛びに支持する棟支持部材と、ロ）断面が鉛直面と傾斜面とで鈍角に連結され、該鉛直面上端末に外向き且つ該傾斜面下端末に内向きに小はぜが突出されている水密保持部材と、ハ）断面が傾斜底面の下端末に短鉛直面が連結され且つ該傾斜底面の上端末に長鉛直面が連結され、該長短鉛直面の上端末に向合って小はぜが突出されている樋部材とを備え、ニ）前記水密保持部材の鉛直面が前記棟木側面長手に飛び飛びにパッキンを介して固着され、前記傾斜面の小はぜ近傍で前記棧瓦上面との間に圧縮状態の密封材が挿入され、ホ）前記樋部材が前記野地板頂部に固着され、前記短鉛直面は前記棧瓦下面に当接し、前記長鉛直面は前記開口部上段に突出している棟換気装置により解決した。
請求項２の発明にあっては、金属製薄板材よりなり、断面において鉛直面と傾斜面とが鈍角θで交差して連結され、前記鉛直面の上端末に外向きに折り曲げられた小はぜが突出され、前記傾斜面の下端末に内向きに折り曲げられた小はぜが突出されている棟換気装置に用いる水密保持部材により解決した。
請求項３の発明にあっては、鈍角θが１２０〜１５０度にとられている請求項２に記載の水密保持部材とするのが好ましい。
請求項４の発明にあっては、鉛直面の上端末の小はぜは略水平方向外向きに折り曲げられ、傾斜面の下端末の小はぜは略水平方向内向きに折り曲げられている請求項２又は３に記載の水密保持部材とすることができる。
請求項５の発明にあっては、金属製薄板材としてガルバニウム鋼板を用いた請求項２〜４のいずれかに記載の水密保持部材とするのが好ましい。
請求項６の発明にあっては、金属製薄板材よりなり、断面において傾斜底面の一方下側端末に短鉛直面が交差して連結され且つ前記傾斜底面の他方上側端末に長鉛直面が交差して連結され、前記短鉛直面及び長鉛直面の上側端末にはそれぞれ向合って下方に折り曲げられた小はぜが突出されている棟換気装置に用いる樋部材により解決した。
請求項７の発明にあっては、金属製薄板材としてガルバニウム鋼板を用いた請求項６に記載の樋部材とするのが好ましい。
【発明の効果】
【０００６】
本発明の棟換気装置及びこれに用いる構成部材によれば、構成部材に開口は設けられておらず、断面形状が単純でコストダウンが計れ、施工が容易で強度面からも有利であり、また雨仕舞に二段の効果的な対応策をとっており優れた効果を有する。
【発明を実施するための最良の形態】
【０００７】
本発明の実施の形態を図面を参照して説明する。
図１は、本発明の一例の棟換気装置の断面図である。
図２は、図１の本発明の構成部材である水密保持部材を示し、（ａ）斜視図、（ｂ）断面図、（ｃ）周辺部材との概略取付け断面図である。
図３は、図１の本発明の棟換気装置の棟木回りの構成部材を示し、（ａ）水密保持部材の棟木と取付け概略平面図、（ｂ）棟支持部材の斜視図である。
図４は、図１の本発明の構成部材である樋部材を示し、（ａ）斜視図、（ｂ）断面図である。
図５は、図１の本発明の棟換気装置による換気流の概略説明断面図である。
以下において、本発明の棟換気装置に用いる構成部材は組立て時の使用状態において、屋根の棟瓦側を上側とし、野地板側を下側とし、棟瓦の略三角形頂点から下への鉛直線に対し左右とし、鉛直線方向を内向きとし反鉛直線方向を外向きとして説明する。
そして棟換気装置の断面図において、左右対称の左側についてのみ詳細説明をし、右側の詳細説明及び一部の符号記載は省略する。
【０００８】
先ず図２乃至４を参照して、本発明の一例の棟換気装置Ａに用いる構成部材ついて説明する。本図は、切妻屋根の本棟の例について説明するがこれに限定されず、寄棟屋根の隅棟にも用い得る。
棟換気装置Ａの構成部材は、建物関係を除き、水密保持部材４、樋部材５、棟支持部材９、パッキン３及び密封材６である。
水密保持部材４は、図２（ａ）、（ｂ）に示すとおり、金属製薄板材好ましくは耐久性、防食性を合わせ持ったガルバニウム鋼板（アルミ亜鉛合金メッキ鋼板）を用い、断面において傾斜面４１と鉛直面４２とが鈍角θで交差して連結され、傾斜面４１の下端末右側には内向きの略水平方向に折り曲げられた帯状の小はぜ４３が突出され、鉛直面４２の上端末左側には外向きの略水平方向に折り曲げられた帯状の小はぜ４４が突出されている。鈍角θは通常１２０〜１５０度が好ましく、特に１３０度近傍にとるのが最も好ましい。ここの水密保持部材４は同じ断面で棟木１の長手方向に沿って形成されている。
図２（ｃ）及び図３（ａ）は、水密保持部材４の周辺部材との取合い関係の概略を示し、棟木２にパッキン３を介して水密保持部材４の鉛直面４２の右面がビスなどの固着具によって固着されている。ここのパッキン３は棟木２の長手方向に沿っておかれるが、図３（ａ）に示すとおり長手方向の長さが短くとられ空隙部３ａをおいて飛び飛びに置かれており、空隙部３ａを通して後述する換気流が通過可能とされる。また傾斜面４１下端末の小はぜ４３近傍には、断面略方形体の弾性を有するスポンジ状の密封材６が後述するとおり長手方向に棧瓦７上面との間に挿入され、密封材６を下方Ｘ方向に圧縮するように傾斜面４１を加圧して鉛直面４２との角度を鈍角θより小さいθ′に変化させる。鈍角θ′を例えば１１０度前後にとると、密封材６は圧縮されて厚さ１／３程度となる。ここの密封材６は、フリー状態では吸水性が大きいが、厚さが大幅の１／３程度に圧縮されると防水効果が発揮され水密性が向上し雨仕舞に効果的である。
【０００９】
樋部材５は、図４に示すとおり、水密保持部材４と同様の金属製薄板材好ましくはガルバニウム鋼板を用い、断面において傾斜底面５１の傾斜する左下側端末に短鉛直面５２が交差して連結され、且つ傾斜底面５１の傾斜する右上側端末に長鉛直面５３が交差して連結され、短鉛直面５２及び長鉛直面５３の上側端末にはそれぞれ内側に向合って下方に折り曲げられた帯状の小はぜ５４及び５５が突出されている。ここの樋部材５は同じ断面で、棟木１の長手方向に沿って形成されている。又、傾斜底面の傾斜角度は、屋根の傾斜に沿って設定されるが、例えば底面の幅を４０ｍｍとしたときに一方を４５°〜７０°で他方を１１０°〜１３５°程度とする。
棟支持部材９は、水密保持部材４及び樋部材５より耐荷重が大きい金属板材製で、図１、図３（ｂ）に示すとおり、中央の支柱部９１と、平坦な底板９２ａと左右の鉛直側板９２ｂ、９２ｂとで断面略コ字形に形成され該底板９２ａが支柱部９１上端末に固着された受け部９２と、中央鉛直部９１下端末に左右に張出して固着され後述する屋根の野地板８の勾配に合わせた傾斜を有する左右一対の脚部９３、９３とからなっている。棟支持部材９の受け部９２は、後述するとおり棟木２下面が長手方向に沿って当接され、ボルト、ビスなどで固着される。棟支持部材９の長手方向の長さは短く例えば４０〜６０ｃｍにとられ、棟木２を飛び飛びに約９０ｃｍ置きに支持する。ここの棟支持部材９は上記例に限定されず、棟木２を飛び飛びに支持可能のものであればよい。
【００１０】
図１を参照して、本発明の一例の棟換気装置Ａについて説明するが、各構成部材は、屋根頂部に葺かれた棟瓦１の断面略三角形状の頂点から下への鉛直線に対し、左右対称に配設されており、ここでは左側についてのみ説明し、右側の詳細説明は省略する。
棟換気装置Ａは、屋根頂部の断面略三角形状の棟瓦１と、屋根底部に換気流が通過可能な開口部Ｃ下段をおいて傾斜する野地板８の間に形成され、棟木２の長手方向に沿っておかれている。ここで、水密保持部材４、樋部材５及び密封材６は棟木２の長手方向全長に合わせた長さにとられ、棟支持部材９及びパッキン３の長さは棟木２の全長対し大幅に短くとられている。
図１、図３（ｂ）を参照して、前記した棟木２を長手方向に沿って棟支持部材９の受け部９２に当接し、脚部９３を野地板８上に載置し、それぞれ固着具によって棟木２に固着する。
図２（ｃ）、図３（ａ）を参照して、前記した水密保持部材４の周辺部材との取合い関係より、パッキン３を介して水密保持部材４の鉛直面４２右面が棟木２に固着具によって固着され、下端末の小はぜ４３近傍に密封材６が挿入され、このとき傾斜面４１と鉛直面４２との角度は鈍角θからθ′へと小さい値に変化し、密封材６は下におかれた棧瓦７上面に圧縮状態でおかれ、これにより水密性が確保される。
そして水密保持部材４の下の棧瓦７は、左側棧瓦７の右端末と対称位置にある右側棧瓦７の左端末とは左右間隔がおかれて開口部Ｃ上段の一部が形成されている。
次に、棧瓦７の下面には間隔をおいて傾斜する野地板８が配設され、左側野地板８の右端末と対称位置にある右側野地板８の左端末とは左右間隔がおかれて開口部Ｃ下段の一部が形成されるが、上記棧瓦７間の開口部Ｃ上段の左右間隔に対し、野地板８間の開口部Ｃ下段の左右間隔の方が小さくとられ、後述する樋部材５の取付けの妨げとならないようにされている。
樋部材５は、左側棧瓦７及び野地板８間の右端末近傍におかれ、短鉛直面５２は棧瓦７と野地板８の間に挿入され、長鉛直面５３は野地板８間の右端末近傍から上記棧瓦７間の開口部Ｃ上段に向けて突出状態におかれる。
棧瓦７と野地板８の間の下流側の左端末近傍には同じく棧瓦７が連なって屋根面が形成される。
【００１１】
次に、図１、５を参照して、棟換気装置Ａの作用効果について説明する。
前記したとおり、棟換気装置Ａでは、棟瓦１の頂点から下への鉛直線に対し左側の各構成部材と対称に右側の各構成部材が配設され、屋根裏Ｂから上方向に開口部Ｃが形成されている。
そして下から左右樋部材５の長鉛直面５３が鉛直方向に直立して下からの換気流を導入し易くし、傾斜底面５１、短鉛直面５２及び長鉛直面５３で囲まれた樋部材５は万一水が流入した場合には樋として作用し、下流側へ流して軒下部へ水を落下させることが可能である。
水密保持材４には、下部の小はぜ４３近傍に挿入された密封材６が棧瓦７上に圧縮状態で押付けられており、これにより水密性が確保され雨仕舞に有効である。棟支持材４の上部には、棟木２にパッキン３を介して鉛直面４２が固着具によって固着され、飛び飛びにおかれているパッキン３の空隙部３ａを通して換気流の通過が可能である。
以上まとめて、上記換気流の全体の通過経路は、図５に矢印で示すとおり、上向きに屋根裏Ｂ→開口部Ｃ下段から上段→パッキン３の空隙部３ａ→棟瓦１下面空間Ｄ→外気Ｅと経由して円滑に流れる。図５には、図面の輻輳を避けるため、棟支持部材９の記載は省略されているが、棟支持部材９は棟木２の長手方向に飛び飛びにおかれているので、棟支持部材９の設置されていない箇所を換気流は通過可能で矢印で示すとおり円滑に流れる。
ここで、水密保持部材４及び樋部材５の端部に設けられている小はぜ４３、４４、５４及び５５は、端部に作業員が接触したときの怪我防止及び強度の保持などに有効であり、加えて小はぜ５４、５５は内部に溜まった水のオーバーフロー防止にも効果的であり、小はぜ４４は略水平方向に形成されており外気Ｅ側からの水の吹込みがあった場合の予防にも効果的である。
以上詳述したとおり棟換気装置Ａは、水密保持部材４と密封材６との組み合わせにより水密性を確保し、樋部材５による水の流入に対して樋として作用し下流側へ流す、という二段構えの効果的な雨仕舞対策を有している。
【００１２】
前記本発明の一例の棟換気装置Ａは本棟の例で説明したが、寄棟屋根の隅棟の場合であっても同様に適用できる。その場合には水密保持部材４及び樋部材５を棟に沿って勾配をもたせて組付ければよい。従来は寄棟屋根の隅棟の場合には、雨仕舞の問題から換気構造の採用は困難であったが、本発明の棟換気装置Ａでは、雨仕舞の問題が解消したので隅棟の場合でも換気が可能となった。
【産業上の利用可能性】
【００１３】
本発明の棟換気装置及びこれに用いる構成部材は、本棟及び寄棟のいずれにおいても幅広く利用可能である。
【図面の簡単な説明】
【００１４】
【図１】本発明の一例の棟換気装置の断面図である。
【図２】図１の本発明の構成部材である水密保持部材を示し、（ａ）斜視図、（ｂ）断面図、（ｃ）周辺部材との概略取付け断面図である。
【図３】図１の本発明の棟換気装置の棟木回りの構成部材を示し、（ａ）水密保持部材の棟木と取付け概略平面図、（ｂ）棟支持部材の斜視図である。
【図４】図１の本発明の構成部材である樋部材を示し、（ａ）斜視図、（ｂ）断面図である。
【図５】図１の本発明の棟換気装置による換気流の概略説明断面図である。
【符号の説明】
【００１５】
１  棟瓦
２  棟木
３  パッキン
３ａ  空隙部
４    水密保持部材
４１  傾斜面
４２  鉛直面
４３、４４、５４、５５  小はぜ
５  樋部材
５１  傾斜底面
５２  短鉛直面
５３  長鉛直面
６  密封材
７  棧瓦
８  野地板
９  棟支持部材
Ａ  棟換気装置
Ｂ  屋根裏
Ｃ  開口部
Ｄ  棟瓦下面空間
【図１】
2008208618.tif 000003
【図２】
2008208618.tif 000004
【図３】
2008208618.tif 000005
【図４】
2008208618.tif 000006
【図５】
2008208618.tif 000007